(57)【特許請求の範囲】
【請求項１】
緩やかに傾斜した傾斜面を形成する後壁、前壁、両側壁及び底面から構成される椀形の浴槽本体、該浴槽本体の上端に外方向にほぼ平行に突出した鍔部、及び水平片と立設片とから構成される逆Ｌ字形の背凭れ部材、を備え、
前記水平片の一端を後壁に嵌合させることにより水平片をほぼ水平に配置させた状態で前記立設片を前記底壁に立設させることにより、該立設片を前記後壁よりも急な傾斜面を形成する背凭れ部として、前記背凭れ部材を前記浴槽本体に着脱自在に取り付けた浴槽において、
前記後壁に背を凭れた場合に入浴者の両肘を掛ける肘掛けを、該肘掛けと前記後壁との間に前記立設片が立設できる隙間を開けて前記両側壁から突出して設けるとともに、前記後壁と前記鍔部との境界近傍に係止凹部を設けることにより、
該係止凹部から前記肘掛けと後壁との間の前記隙間に前記背凭れ部材を着脱自在に架け渡して取り付けたことを特徴とする浴槽。
【請求項２】
底面に配置された流体出入口と、この流体出入口を覆ったシート状伸縮体とから構成され、この流体出入口から流体を出入させることによりシート状伸縮体が膨張収縮自在になされていて、シート状伸縮体に流体を入れて膨張させたときに、この膨張したシート状伸縮体の上面の形状が、足を折り曲げて入浴した入浴者の足の後側に沿う山形状になされていることを特徴とする請求項１記載の浴槽。
【請求項３】
ぼぼ逆Ｌ字形の背凭れのほぼ中央の屈曲部が折畳可能になされていることを特徴とする請求項１または２記載の浴槽。
【発明の詳細な説明】
【０００１】
【発明の属する技術分野】
本発明は浴槽に関する。
【０００２】
【従来の技術】
一般に使用されている浴槽は、プラスチックや金属等で両側壁と前壁と後壁と底面とからなる椀形に成形されたものや、木材で椀形に成形されたものが多い。そして、入浴者が凭れる浴槽の後壁は、和風の浴槽では急な傾斜面になっているし、洋風の浴槽では緩やかな傾斜面となっている。又、和洋折衷の浴槽では、この中間の傾斜面となっている。
【０００３】
このことを図７を参照しながら説明すると、和風の浴槽１００は、（イ）に示すように、前壁１０１の上端と後壁１０２の上端との間の距離が８００〜１２００ｍｍであり、後壁１０２はほぼ９０°に近い急な傾斜面となっている。従って、入浴者１０５は足を折り曲げた状態で入浴することになる。
又、洋風の浴槽３００は、（ハ）に示すように、前壁３０１の上端と後壁３０２の上端との距離が１２００〜１６００ｍｍであり、後壁３０２はゆるやかな傾斜面となっている。従って、入浴者３０５は仰向けに寝た姿に近いリラックスした姿勢で入浴することになる。
【０００４】
又、和洋折衷の浴槽２００では、この中間で、（ロ）に示すように、前壁２０１の上端と後壁２０２の上端との距離は１０００〜１４００ｍｍで、後壁２０２は中間の傾斜面となっている。従って、入浴者２０５は中間の姿勢で入浴することになる。
この後壁の傾斜を和風や洋風に変えることができる浴槽としては、実開平５−９３８７号公報、実公平６−３７７４７号公報に記載されている浴槽が知られている。
【０００５】
この実開平５−９３８７号公報記載の浴槽は、両側壁の一部が伸縮自在な蛇腹状になっていて、この蛇腹状の側壁の上方と下方の伸縮量を変えることにより後壁の傾斜を変えることができるようになっている。
又、実公平６−３７７４７号公報記載の浴槽は、両側壁に後壁と異なる傾斜に取り付けられた２列のガイドレールが設けられていて、この２列のガイドレールの間に板体を差し込んで背凭れ（後壁）の傾斜を変えることができるようになっている。
又、リラックスできる浴槽として、特開平４−２２４７５６号公報、特開平６−１４１９９６号公報に記載されているように、浴槽本体の中間の高さに横臥床布や気密シートを傾斜させて取り付けた浴槽が知られている。
【０００６】
【発明が解決しようとする課題】
しかし、この後壁の好ましい傾斜は人の好みや年齢によって異なっている。
一般に、高齢者や身障者では、後壁が緩やかな傾斜面になっていると、浴槽に入って入浴するときに、身体が浮き上がり、身体のバランスを崩して身体を湯中にずれ込ませ、悪くすると、溺死事故になることがあるので、高齢者や身障者では後壁の傾斜が急な浴槽がよいし、若年者には緩やかな後壁がリラックスできるので好まれている。
【０００７】
両側壁の一部が蛇腹状になっている浴槽では、人の好みや年齢によって後壁の傾斜を変えて入浴できるので便利であるが、構造が複雑であるし、蛇腹の襞の中に湯垢等が付着し易いし、又、この蛇腹の中に付着した湯垢等が取り除き難いという問題がある。
又、両側壁にガイドレールが設けられた浴槽では、この２列のガイドレールの間にガイドレールに沿って板体を差し込むことにより後壁の傾斜が変えることができ便利であるが、板体を使用しないで入浴していると、このガイドレールが邪魔になって不便である。又、この２列のガイドレールの間や前後の壁に湯垢が付着し易いし、又、この付着した湯垢等が取り除き難いという問題がある。
【０００８】
又、浴槽本体の中間の高さに横臥床布や気密シートを設けた浴槽では、入浴者の背面が横臥床布や気密シートに沿って入浴できるので、リラックスでき気持ちよく入浴できるが、この横臥床布や気密シートは変形し易いし、浴槽の中間の高さに傾斜した状態に取り付けられているから、浴槽の中に入るときに、この横臥床布や気密シートの上に足裏を載せて立つと、横臥床布や気密シートが変形し足がふらつくし、又、フラットでないので足元が安定せず浴槽の中に入り難いという問題がある。
又、この横臥床布や気密シートが浴槽に設置し難いし、又、この構造が複雑なために清掃が困難であるという問題がある。
そこで、本発明の目的は、後壁の傾斜を簡単に変えることができ、しかも、湯垢等が付着し難く、付着しても湯垢を取り除き易い浴槽を提供することである。
本発明の他の目的は、浴槽の中に入り易く、リラックスして入浴できる浴槽を提供することである。
【０００９】
【課題を解決するための手段】
本発明は上記目的を達成するためになしたものであって、請求項１記載の発明は、緩やかに傾斜した傾斜面を形成する後壁、前壁、両側壁及び底面から構成される椀形の浴槽本体、該浴槽本体の上端に外方向にほぼ平行に突出した鍔部、及び水平片と立設片とから構成される逆Ｌ字形の背凭れ部材、を備え、前記水平片の一端を後壁に嵌合させることにより水平片をほぼ水平に配置させた状態で前記立設片を前記底壁に立設させることにより、該立設片を前記後壁よりも急な傾斜面を形成する背凭れ部として、前記背凭れ部材を前記浴槽本体に着脱自在に取り付けた浴槽において、前記後壁に背を凭れた場合に入浴者の両肘を掛ける肘掛けを、該肘掛けと前記後壁との間に前記立設片が立設できる隙間を開けて前記両側壁から突出して設けるとともに、前記後壁と前記鍔部との境界近傍に係止凹部を設けることにより、該係止凹部から前記肘掛けと後壁との間の前記隙間に前記背凭れ部材を着脱自在に架け渡して取り付けたことを特徴とする浴槽である。
【００１０】
又、請求項２記載の発明は、請求項１記載の浴槽の底面に配置された流体出入口と、この流体出入口を覆ったシート状伸縮体とから構成され、この流体出入口から流体を出入させることによりシート状伸縮体が膨張収縮自在になされていて、シート状伸縮体に流体を入れて膨張させたときに、この膨張したシート状伸縮体の上面の形状が、足を折り曲げて入浴した入浴者の足の後側に沿う山形状になされているものである。この請求項２記載の発明における足とは腰より下方に延びた部分をいう。又、請求項３記載の発明は、請求項１または２記載の浴槽に使用されるほぼ逆Ｌ字形の背凭れのほぼ中央の屈曲部が折畳可能になされているものである。
【００１１】
（作用）
本発明の浴槽では、係止凹部から肘掛けと後壁との間に、ほぼ逆Ｌ字形の背凭れが、逆Ｌ字形の一方の片をほぼ水平に他方の片を後壁より急な角度に傾斜させて、架け渡され着脱自在に取り付けられているから、緩やかな後壁が好きな人、例えば、若年者の場合には背凭れを取り外して入浴する。
すると、浴槽の後壁は緩やかな傾斜面であるから、リラックスして気持ちよく入浴できる。
【００１２】
又、急な傾斜の後壁がよい、例えば、高齢者や身障者の場合には、ほぼ逆Ｌ字形の背凭れを取り付けて入浴する。
すると、浴槽の後壁の前に、後壁より急な角度のほぼ逆Ｌ字形の背凭れが取り付けられられるので、この急な傾斜の背凭れに凭れて入浴するすることができる。
又、この背凭れは後壁と鍔との境界近傍に設けられた係止凹部から肘掛けと後壁との間に掛け渡して取り付けられているから、この背凭れを取り付けために、従来の浴槽のように、側壁にガイドレール等の取付具を取り付ける必要がない。従って、浴槽の側壁は平滑な面のままであり、湯垢等が取り付き難いし、又、この側壁に湯垢が取り付いても掃除し易い。
【００１３】
請求項２記載の発明では、流体出入口から流体を抜いてシート状伸縮体を収縮させて入浴者が浴槽の中に出入する。
すると、収縮しているシート状伸縮体の上に足裏を載せて入浴者が出入してもシート状伸縮体の下側のフラットな床で入浴者の荷重を支えるために、足元が安定しふらつくことがなく、浴槽の中に出入し易い。
又、入浴後、シート状伸縮体の中に流体出入口から流体を導入すると、膨張したシート状伸縮体の表面の形状が、足を折り曲げて入浴した入浴者の足の後側に沿う山形状になされているから、入浴者が折り曲げた足の後側をこのシート状収縮体の上に載せると膝関節の裏側をシート状収縮体が支えるからリラックスして入浴できる。
【００１４】
請求項３記載の発明では、ほぼ逆Ｌ字形の背凭れのほぼ中央の屈曲部が折畳可能になされているから、この背凭れを使用しないときには、これを折り畳むことにより小さい形状になるので収納し易い。
【００１５】
【発明の実施の形態】
次に、本発明の実施例を説明する。
（実施例１）
図１〜図３は本発明浴槽の一実施例を示すもので、図１（イ）は浴槽の斜視図、（ロ）は浴槽の平面図、（ハ）は（ロ）のＡ−Ａ線における断面図、図２は図１（ハ）のＢ部分を拡大して示す断面図、図３浴槽の使用状態を示すもので、（イ）は背凭れを使用しないで入浴している状態を示す説明図、（ロ）は背凭れを使用して入浴している状態を示す説明図である。
【００１６】
１はガラス繊維強化ポリエステル樹脂製の浴槽であり、この浴槽１は両側壁２１、２１と前壁２２と後壁２３と底面２４からなる椀形に成形された浴槽本体２と、この浴槽本体２の上端からほぼ水平に突出した鍔３とが一体に成形されたものである。
鍔３の一端から他端までの大きさは１４００ｍｍ×８００ｍｍであり、浴槽本体の上面の大きさは１２００ｍｍ×６５０ｍｍ、深さが５５０ｍｍである。
又、後壁２３はほぼ７５°の緩やかな傾斜面となっている。左右の両側壁２１、２１と前壁２２とはほぼ９０°に近い急な傾斜面となっている。
両側壁２１、２１には後壁２３に近い場所に内側に突出した肘掛け２５が設けられている。
又、後壁２３と鍔３との境界近傍には窪んだ係止凹部４が設けられている。
【００１７】
符号５はほぼ逆Ｌ字形の背凭れであり、この背凭れ５は、図２に示すように、ほぼ中央の屈曲部５５で分割されて一方の片（水平片）５１と他方の片（立設片）５２とに分割され、これが蝶番５６で取付けられて折畳可能になされている。
この背凭れ５を、図１（ハ）に示すように、係止凹部４から後壁２３と肘掛け２５との間に架け渡して取り付けることができるようになっている。尚、このように背凭れ５を取り付けると、逆Ｌ字形の一方の片５１がほぼ水平になり、他方の片５２がほぼ９０°に近い急な傾斜面となる。
なお、図３において、符号５９は枕マットであり、この枕マット５９は係止凹部４に嵌め込むことができる形状になっている。また、符号９は入浴者である。
【００１８】
次に、この浴槽の使用方法を説明する。
先ず、凭れる壁（後壁２３）の傾斜が緩やかな浴槽１が好きな入浴者９の場合には、背凭れ５を取り外し、枕マット５９を係止凹部４に嵌め込んで取り付け、浴槽１の中に湯を満たし、図３（イ）に示すように、浴槽１の中に入り、枕マット５９を枕にし、肘掛け２５に肘を掛けてリラックスして入浴する。
この際、この背凭れ５は使用しないので、これを折り畳んで収納する。
次に、凭れる壁の傾斜が急な浴槽１が好きな入浴者９の場合には、図１（ハ）に示すように、背凭れ５を係止凹部４から後壁２３と肘掛け２５との間に架け渡して取り付ける。すると、背凭れ５の一方の片５１はほぼ水平になり、他方の片５２はほぼ垂直に近くなって取り付けられる。
【００１９】
この浴槽１の中に湯を満たして、図３（ロ）に示すように、浴槽１の中に入り、肘掛け２５に肘を掛け背凭れ５に凭れて入浴する。すると、背凭れ５の他方の片５２がほぼ９０°に近い傾斜面となって取り付けられているから、この他方の片５２に凭れて入浴する。
このように、凭れる壁が後壁２３と背凭れ５というように傾斜面を変えることができるので便利である。
又、このように背凭れ５は係止凹部４から肘架け２５と後壁２３との間との間に架け渡して取り付けることができるので、従来のガイドレールのような特別な取付具を設ける必要がなく、従って、側壁が湯垢等が取り付け難いし、又、湯垢が取り付いても簡単に取り除くことができる。
又、背凭れ５は折り畳むことができるので、使用しないときには小さく折り畳んで収納できるので便利である。
【００２０】
（実施例２）
次に、本発明の他の実施例について説明する。
図４〜図６は本発明浴槽の他の実施例を示すもので、図４（イ）は浴槽の平面図、（ロ）は（イ）のＣ−Ｃ線における断面図、図５はシート状伸縮体が膨張した状態を示すもので（イ）は斜視図、（ロ）は（イ）のＤ−Ｄ線における断面図、図６は浴槽の使用状態を示すもので、（イ）は背凭れを使用してシート状伸縮体を収縮させた状態を示すの説明図、（ロ）は背凭れを外してシート状伸縮体を膨張させて入浴している状態を示す説明図である。
【００２１】
１ａはガラス繊維強化ポリエステル樹脂製の浴槽であり、この浴槽１ａは両側壁２１ａ、２１ａと前壁２２ａと後壁２３ａと底面２４ａからなる椀形に成形された浴槽本体２ａと、この浴槽本体２ａの上端からほぼ水平に突出した鍔３ａとが一体に成形されたものである。
そして、この底面２４ａのほぼ中央に流体出入口２９ａが設けられている。
鍔３ａの一端から他端までの大きさは１４００ｍｍ×８００ｍｍであり、浴槽本体の大きさは１２００ｍｍ×６５０ｍｍ、深さが５５０ｍｍである。
又、後壁２３ａはほぼ７５°の緩やかな傾斜面となっている。左右の両側壁２１、２１と前壁２２ａとはほぼ９０°に近い急な傾斜面となっている。
両側壁２１ａ、２１ａには後壁２３ａに近い場所に内側に突出した肘掛け２５ａが設けられている。
又、後壁２３ａと鍔３ａとの境界近傍には窪んだ係止凹部４ａが設けられている。
【００２２】
５ａはほぼ逆Ｌ字形の背凭れであり、この背凭れ５ａはほぼ中央の屈曲部５５ａで分割されて一方の片５１ａと他方の片５２ａとに分割され、これが蝶番５６ａで取付けられ付けられて折畳可能になされている。
この背凭れ５ａを、図４（ロ）に示すように、係止凹部４ａから後壁２３ａと肘掛け２５ａとの間に架け渡して取り付けることができるようになっている。尚、このように背凭れ５ａを取り付けると、逆Ｌ字形の一方の片５１ａがほぼ水平になり、他方の片５２ａがほぼ９０°に近い傾斜面になる。
５９ａは枕マットであり、この枕マット５９ａは係止凹部４ａに嵌め込むことができる形状になっている。。
【００２３】
６ａはゴム製のシート状伸縮体である。そして、浴槽本体２ａの底面２４ａには、流体出入口２９ａをほぼ中心にした長さ４００ｍｍ〜６００ｍｍ、幅３００ｍｍ〜４５０ｍｍのほぼ矩形状の断面コ字形の枠体６１ａが一体に取り付けられ、この枠体６１ａの断面コ字形の中にシート状伸縮体６ａの周縁が取り付けられている。従って、このシート状伸縮体６ａが流体出入口２９ａを覆って設けられている。
そして、この流体出入口２９ａから加圧された水（上水道水）を導入すると、シート状伸縮体６ａが膨張して、このシート状伸縮体６ａの上面の形状が、図６の（ロ）に示すように、足を折り曲げた入浴者の足の背面に沿う山形になり、水を抜くとシート状伸縮体６ａが収縮して、このシート状伸縮体６ａの上面が、図６の（イ）に示すよう、底面２４ａとほぼ同じ高さになる。又、このシート状収縮体６ａの表面には滑り止めの多数の凹凸が設けられている。
【００２４】
８ａは水栓である。
８１ａは湯管であり、この湯管８１ａは水栓８ａに接続されている。
８２ａは水管であり、この水管８２ａは途中で枝別れし、一方が水栓８ａに接続され、他方が切替弁８５ａを経て流体出入口２９ａに接続されている。
切替弁８５ａを、図示しないスイッチで流体出入口２９ａ側に切り替えると、水がシート状伸縮体６ａの中に入り、このシート状伸縮体６ａを膨張させることができ、切替弁８５ａを排水管８６ａ側に切り替えると、シート状伸縮体６ａの中に入っている水が排水管８６ａを通って流出しシート状伸縮体６ａが収縮するようになっている。
又、水栓８ａのハンドル８９ａを適宜回転させて開くと、湯管８１ａからの湯の量と水管８２ａからの水の量が調節でき、適当な温度の湯が水栓８ａから出るようになっている。
９ａは入浴者である。
【００２５】
次に、この浴槽の使用方法を説明する。
先ず、凭れる壁（後壁２３ａ）の傾斜が緩やかな浴槽１ａが好きな入浴者９ａの場合には、背凭れ５を取り外し、枕マット５９ａを係止凹部４ａに嵌め込む。そして、切替弁８ａを排水管８６ａ側に切り替えてシート状伸縮体６ａの中の水を抜いてシート状伸縮体６ａを収縮させ、ハンドル８９ａを適宜回転させて水栓８ａから出る湯の温度を適当にして浴槽の中に湯を適量入れる。
この際、この背凭れ５ａは使用しないので、これを折り畳んで収納する。
このようにして、浴槽１の中に入浴者９ａが入る。
すると、シート状伸縮体６ａが収縮しているときには、シート状伸縮体６ａの表面と底面２４ａとがほぼ同じ高さになされているから、入り易い。又、このシート状伸縮体６ａの表面には多数の凹凸が設けられているから、滑り難い。
【００２６】
入浴して、足を折り曲げて、図示しないスイッチで切替弁８ａを流体出入口２９ａ側に切り替えると、図６（ロ）に示すように、シート状伸縮体６ａが足の後側に沿う形状に膨張するから、このシート状伸縮体６ａの上に足を載せ、枕マット５９ａを枕にし、肘掛け２５ａに肘を掛けてリラックスして入浴できる。
浴槽１ａから出るときには、図示しないスイッチで切替弁８ａを排水管８６ａ側に切り替えると、シート状伸縮体６ａの中の水が排水され、シート状伸縮体６ａが収縮し、底面２４ａとほぼ同じ高さになるから、立ち上がって浴槽から出易い。
このように、浴槽１から出るときにも、床面１２はほぼ平面となるから立ち上がって出ることが容易である。
【００２７】
次に、凭れる壁の傾斜が急な浴槽１ａが好きな入浴者９ａの場合には、図４（ロ）に示すように、背凭れ５ａを係止凹部４ａから後壁２３ａと肘掛け２５ａとの間に掛け渡して取り付ける。すると、背凭れ５ａの一方の片５１ａがほぼ水平になり、他方の片５２ａがほぼ９０°に近い傾斜面となって取り付けられる。
その後、凭れる壁（後壁２３ａ）の傾斜が緩やかな浴槽１ａが好きな入浴者９ａの場合と同様に、シート状伸縮体６ａを収縮させ、浴槽１ａに湯を入れて入浴する。すると、シート状伸縮体６ａの表面と底面２４ａとがほぼ同じ高さになされているから、入り易い。又、このシート状伸縮体６ａの表面には多数の凹凸が設けられているから、滑り難い。
【００２８】
その後、図６（イ）に示すように、腰を下ろし、シート状伸縮体６ａを膨張させて、このシート状伸縮体６ａの上に足を載せると膝関節の内側が支えられ、肘掛け２５ａに肘を掛けてリラックスして入浴する。
又、掃除するときには、背凭れ５ａを取り外し、シート状伸縮体３を床面１２とほぼ同じにすることにより、容易に掃除することができる。
このように、凭れる壁が後壁２３ａと背凭れ５ａというように傾斜面を変えることができるので便利である。
又、このように背凭れ５ａは係止凹部４ａから肘架け２５ａと後壁２３ａとの間との間に架け渡して取り付けることができるので、従来のガイドレールのような特別な取付具を設ける必要がなく、従って、側壁が湯垢等が取り付き難いし、又、湯垢が取り付いても簡単に取り除くことができる。
又、背凭れ５ａは折り畳むことができるので、使用しないときには小さく折り畳んで収納できるので便利である。
【００２９】
【発明の効果】
本発明の浴槽では、係止凹部から肘掛けと後壁との間に、ほぼ逆Ｌ字形の背凭れが、逆Ｌ字形の一方の片をほぼ水平に他方の片を後壁より急な角度に傾斜させて、架け渡され着脱自在に取り付けられているから、緩やかな後壁が好きな人、例えば、若年者の場合には背凭れを取り外して入浴できるし、又、急な傾斜の後壁がよい、例えば、高齢者や身障者の場合には、ほぼ逆Ｌ字形の背凭れを取り付けて入浴できるので便利である。
又、この背凭れは後壁と鍔との境界近傍に設けられた係止凹部から肘掛けと後壁との間に掛け渡して取り付けるから、浴槽の側壁は平滑な面のままであり、湯垢等が取り付き難いし、又、この側壁に湯垢が取り付いても掃除し易い。
【００３０】
請求項２記載の発明では、流体出入口から流体を抜いてシート状伸縮体を収縮させると、このシート状伸縮体の上に足を載せてもシート状伸縮体の下側のフラットな床で荷重を支えるために、足元が安定しふらつくことがなく、浴槽の中に出入し易い。
又、シート状伸縮体の中に流体出入口から流体を導入すると、膨張したシート状伸縮体の表面の形状が、足を折り曲げて入浴した入浴者の足の後側に沿う山形状になされているから、シート状伸縮体が折り曲げた足をこのシート状収縮体の上に載せると膝関節の内側を支えるられ、リラックスでき気持ちよく入浴できる。
請求項３記載の発明では、Ｌ字形の背凭れのほぼ中央の屈曲部が折畳可能になされているから、この背凭れを使用しないときには、これを折り畳んで小さい形状にして収納することができる。
【図面の簡単な説明】
【図１】本発明浴槽の一実施例を示すもので、（イ）は浴槽の斜視図、（ロ）は浴槽の平面図、（ハ）は（ロ）のＡ−Ａ線における断面図である。
【図２】図１（ハ）のＢ部分を拡大して示す断面図である。
【図３】浴槽の使用状態を示すもので、（イ）は背凭れを使用しないで入浴している状態を示す説明図、（ロ）は背凭れを使用して入浴している状態を示す説明図である。
【図４】本発明浴槽の他の実施例を示すもので、（イ）は浴槽の平面図、（ロ）は（イ）のＣ−Ｃ線における断面図である。
【図５】シート状伸縮体が膨張した状態を示すもので、（イ）は斜視図、（ロ）は（イ）のＤ−Ｄ線における断面図である。
【図６】浴槽の使用状態を示すもので、（イ）は背凭れを使用してシート状伸縮体を収縮させた状態を示す説明図、（ロ）は背凭れを使用しないでシート状収縮体を膨張させて入浴している状態を示す説明図である。
【図７】従来の浴槽の例を示すもので、（イ）は和風の浴槽に入浴した状態を示す説明図、（ロ）は和洋折衷の浴槽に入浴した状態を示す説明図、（ハ）は洋風の浴槽に入浴した状態を示す説明図である。
【符号の説明】
１、１ａ            浴槽
２、２ａ            浴槽本体
２１、２１ａ        側壁
２２、２２ａ        前壁
２３、２３ａ        後壁
２４、２４ａ        底面
２５、２５ａ        肘掛け
２９ａ              流体出入口
３、３ａ            鍔
４、４ａ            係止凹部
５、５ａ            背凭れ
６ａ                シート状伸縮体
８ａ                水栓
８１ａ              湯管
８２ａ              水管
８５ａ              切替弁
８６ａ              排水管
９、９ａ            入浴者
【図１】
0003652762.tif 000002
【図２】
0003652762.tif 000003
【図３】
0003652762.tif 000004
【図４】
0003652762.tif 000005
【図５】
0003652762.tif 000006
【図６】
0003652762.tif 000007
【図７】
0003652762.tif 000008